(57)【要約】【課題】庫内配線の規制、固定およびカバーに断熱材の保護部材の切り起こし部を利用することで、組立作業性を良くし、より安価な構成で実現できる自動販売機の配線カバーを提供する。【解決手段】庫内収納部に配置した商品収納装置３と、商品収納装置３に備えた機能部品とコントロール部とを接続するハーネス４と、庫内収納部を左右に仕切る仕切板２を備えた自動販売機において、仕切板２の断熱材保護部材５に切り起こし部５ａを形成し前記切り起こし部５ａによって配線を規制および固定することで組立作業性を良くし、より安価な構成で実現できる。【選択図】図２
2012018442.tif 000002
【特許請求の範囲】
【請求項１】
庫内収納部に商品収納装置を備え、前記商品収納装置に備えた機能部品と前記機能部品を制御するコントロール部とを接続するハーネスと、前記庫内収納部を左右に仕切る仕切板を備えた自動販売機において、前記仕切板と前記商品収納装置の間で前記仕切板の下方に前記ハーネスを固定、規制およびカバーする切り起こし部を形成した部材を備え、前記切り起こし部の開口部が前記庫内収納部の前方になるように形成したことを特徴とする自動販売機。
【請求項２】
ハーネスを固定、規制およびカバーする切り起こし部を形成した部材の前記切り起こし部に突起部を形成したことを特徴とする請求項１に記載の自動販売機。
【請求項３】
ハーネスを固定、規制およびカバーする切り起こし部を形成した部材の前記切り起こし部の曲げ部に穴を形成したことを特徴とする請求項１または２に記載の自動販売機。
【発明の詳細な説明】
【技術分野】
【０００１】
本発明は、自動販売機庫内収納部を左右に仕切る仕切板により複数の商品収納部を備え、庫内に配線したハーネスを規制、固定およびカバーする自動販売機の庫内配線カバーに関するものである。
【背景技術】
【０００２】
従来、この種の自動販売機は、本体庫内に搭載した商品収納装置に対して、商品収納装置に装備した搬出機構のアクチュエータ（モータ，ソレノイド），売切れ検知スイッチや、サーモスタットなどの各種電装部品と、本体内の機械室に配した電源，制御用の電装ボックスとの間を接続して本体庫内に電源，制御ラインのハーネスが配線されており、かつこのハーネスを庫内に備えた配線カバーで覆うようにしている。配線カバーは庫内を左右に仕切る複数の仕切板の側面もしくは本体庫内の側面に取り付けられている（例えば、特許文献１参照）。
【０００３】
図５は従来の自動販売機の庫内配線用カバーの分解斜視図、図６は従来の自動販売機の庫内全体の分解斜視図である。
【０００４】
以下、従来の自動販売機の庫内配線用カバーについて、図５、図６で説明する。本体庫内１０１の側面に断熱材１０１ａ（ウレタンフォームなどの発泡樹脂やアルミフィルムで密閉された真空断熱材）を備えた断熱筐体であり、その庫内１０１は断熱材１０１ａと同様の素材で構成された断熱仕切板１０２を備えて複数の商品収納部に仕切られている。その複数の商品収納部にジュースなどの缶・ビン・ＰＥＴ商品等を収納する商品収納装置１０３が複数配置され、ハーネス１０４は本体庫内１０１の庫内側面である断熱材１０１ａの側面，あるいは仕切板１０２の側面に沿って敷設されており、このハーネス１０４を包囲して配線カバー１０５が断熱材１０１ａの下部側面，あるいは仕切板１０２の下部側面に装着されている。配線カバー１０５の横には配線カバーの下部と上下方向にラップする位置関係で商品搬送用シューター１０６が備えられている。
【０００５】
配線カバー１０５は板金加工された樋状体であり、その上下，左右の四隅には取付け爪１０５ａを備えている。また、この取付け爪１０５ａに対向して断熱材１０１ａの下部側面には配線カバー取付け穴１０１ｂが開口している。そして、配線カバー１０５を装着する際には、あらかじめ庫内に配線されているハーネス１０４を覆って前方から配線カバー１０５を被せ、取付け爪１０５ａをカバー取付け穴１０１ｂの中に差し込んで配線カバー１０５が断熱材１０１ａの下部側面に係止固定される。なお、仕切板１０２の下部側面に配線カバー１０５を装着する場合も前記と同様な取付け構造を採用している。
【先行技術文献】
【特許文献】
【０００６】
【特許文献１】特開平１１−３３９１１３号公報
【発明の概要】
【発明が解決しようとする課題】
【０００７】
しかしながら、前記従来の構成では、配線カバー１０５を装着する際には、あらかじめ庫内に配線されているハーネス１０４を覆ってから固定する方法をとらなくてはいけない。そのため、従来の自動販売機を組み立てる場合、ハーネス１０４の取付け・配置する工程よりも配線カバー１０５の取付け・配置する工程を後にしているが、ハーネス１０４の取り付け・配置をするには仕切板１０２の庫内１０１への挿入が完了し、商品収納装置１０３の庫内１０１への挿入が完了した段階になるため、取付け作業に手を差し伸べる範囲が限られてしまい、作業が困難で難しいものになっている。
【０００８】
また、断熱材１０１ａもしくは仕切板１０２に設けられた取付け穴１０１ｂに取付け爪１０５ａを少なくとも１箇所以上差し込んで固定する必要がある。しかし、近年では省エネのための断熱性能の強化のために断熱材１０１ａや仕切板１０２にウレタン発泡樹脂よりも断熱性能の高いアルミフィルム等で梱包された真空断熱材を使用したりする場合、表面のフィルムを傷つけて破れてしまわないように断熱材表面まで取付け爪１０５ａが貫通しない構成の鉄板部品を追加したり、真空断熱材が位置しない部分に取付け穴１０５ｂを設けたりする必要があり、コスト高や複雑な取り付け構成をとらざるを得ないという課題を有していた。
【０００９】
本発明は、前記従来の課題を解決するもので、仕切板での配線処理に関する組立作業性を良くし、より安価な構成で実現できる自動販売機を提供することを目的とする。
【課題を解決するための手段】
【００１０】
前記従来の課題を解決するために、本発明の自動販売機は、庫内収納部に商品収納装置を備え、前記商品収納装置に備えた機能部品と前記機能部品を制御するコントロール部とを接続するハーネスと、前記庫内収納部を左右に仕切る仕切板を備えた自動販売機において、前記仕切板と前記商品収納装置の間で前記仕切板の下方に前記ハーネスを固定、規制およびカバーする切り起こし部を形成した部材を備え、前記切り起こし部の開口部が前記庫内収納部の前方になるように形成したものである。
【００１１】
これによって、断熱材保護部材の切り起こし部にハーネスを通すことが可能になるので、従来では配線カバーやクランプ等の部材を利用し配線の規制、固定およびカバーをおこなっていたものから、あらかじめ仕切板に取り付けられている部材で配線を固定、規制およびカバーを行うことが出来るので、ハーネスを収納する狭い空間での配線処理が容易に行うことが出来る。また、従来の配線カバーやクランプを廃止することが出来るので、作業工数の削減や材料コストの削減を行うことが出来る。また、切り起こし部の開口部が庫内収納部の前方になるよう形成しているので、商品収納装置から搬出される商品が切り起こし部の端面に当ることを防止することが出来る。
【発明の効果】
【００１２】
本発明の自動販売機は、仕切板に備えられている断熱材保護部材に形成された切り起こし部にハーネスを通しハーネスの固定、規制およびカバーが出来るので、組み立ての後工程で必要としていたハーネス固定部材を廃止することが可能となる。そのため組立作業性が良くなり、構成も形状も簡単で安価にすることができる。
【００１３】
また、切り起こし部の開口部を庫内収納部の前側に形成することで、商品収納装置から搬出される商品が切り起こし部の開口部端面に当たることによる、商品の傷付および搬出不良を防ぐことが出来る。
【図面の簡単な説明】
【００１４】
【図１】本発明の実施の形態１における自動販売機の庫内全体の斜視図
【図２】本発明の実施の形態１における自動販売機の庫内から見た断熱材保護部材取付け時の部分斜視図
【図３】本発明の実施の形態１における自動販売機の断熱材保護部材の断面図
【図４】本発明の実施の形態１における自動販売機の切り起こし部の詳細図
【図５】従来の自動販売機の庫内配線用カバーの分解斜視図
【図６】従来の自動販売機の庫内全体の分解斜視図
【発明を実施するための形態】
【００１５】
請求項１に記載の発明は、庫内収納部に商品収納装置を備え、前記商品収納装置に備えた機能部品と前記機能部品を制御するコントロール部とを接続するハーネスと、前記庫内収納部を左右に仕切る仕切板を備えた自動販売機において、前記仕切板と前記商品収納装置の間で前記仕切板の下方に前記ハーネスを固定、規制およびカバーする切り起こし部を形成した部材を備え、前記切り起こし部の開口部が前記庫内収納部の前方になるように形成したものであり、断熱材保護部材の切り起こし部にハーネスを通すことが可能になるので、従来では配線カバーやクランプ等の部材を利用し配線の規制、固定およびカバーをおこなっていたものから、あらかじめ仕切板に取り付けられている部材で配線を固定、規制およびカバーを行うことが出来るので、ハーネスを収納する狭い空間での配線処理が容易に行うことが出来る。また、従来の配線カバーやクランプを廃止することが出来るので、作業工数の削減や材料コストの削減を行うことが出来る。また、切り起こし部の開口部が庫内収納部の前方になるよう形成しているので、商品収納装置から搬出される商品が切り起こし部の端面に当ることを防止することが出来る。
【００１６】
請求項２に記載の発明は、請求項１に記載の発明において、ハーネスを固定、規制およびカバーする切り起こし部を形成した部材の前記切り起こし部に突起部を形成したものであり、切り起こし部に通したハーネスが突起に干渉することによって、切り起こし部からハーネスが抜けにくくすることが出来るので、ハーネスの庫内収納部へのはみ出しを確実に防ぐことが出来る。
【００１７】
請求項３に記載の発明は、請求項１または２に記載の発明において、ハーネスを固定、規制およびカバーする切り起こし部を形成した部材の前記切り起こし部の曲げ部に穴を形成したものであり、ハーネスを切り起こし部に通すときに切り起こし部を根元で力を必要とすることなく容易に変形させ開くことが出来るので組立作業性をより良くすることが出来る。
【００１８】
以下、本発明の実施の形態について、図面を参照しながら説明する。なお、この実施の形態によってこの発明が限定されるものではない。
【００１９】
（実施の形態１）
図１は本発明の実施の形態１における自動販売機の庫内全体の斜視図、図２は本発明の実施の形態１における自動販売機の断熱材保護部材のハーネス取付け時の斜視図、図３は本発明の実施の形態１における断熱材保護部材の断面図、図４は本発明の実施の形態１における断熱材保護部材の切り起こし部の詳細図である。
【００２０】
図１、図２において、本発明の自動販売機は、本体庫内１の側面に断熱材１ａ（ウレタンフォームなどの発泡樹脂やアルミフィルムで密閉された真空断熱材）を備えた断熱筐体であり、本体庫内１は断熱材１ａと同様の素材で構成された断熱仕切板２を備えて複数の商品収納部に仕切られている。その複数の商品収納部にジュースなどの缶・ビン・ＰＥＴ商品等を収納する商品収納装置３が複数配置され、ハーネス４は本体庫内１の庫内側面である断熱材１ａの側面，あるいは仕切板２の側面に沿って、本体庫内１の下部に備えたコントロール部１ｂと商品収納装置に備えた搬出装置３ａなどの機能部品とを接続して敷設されており、このハーネス４を規制して断熱材保護部材５が断熱材１ａの下部側面，あるいは仕切板２の下部側面に装着される。
【００２１】
断熱材保護部材５は断熱材１ａの下部側面、あるいは仕切板２に備えられている断熱材の傷付を防止する保護部材である。構成を詳しく説明すると、断熱材保護部材の表面にハーネスが通ることが可能な寸法の切り起こし部５ａを形成しており、この切り起こし部５ａと断熱材１ａまたは仕切板２の空間にハーネスを通すことが出来る。このため、後工程でハーネスを規制するための部材を使用する必要がないので、組立作業の工数削減および材料費の削減が出来る。
【００２２】
さらに、狭い空間内でハーネスの処理を行わなければならないので、従来の後工程での部材を使用してのハーネス処理は部材を取り付ける空間が少ないため難しかったが、部材の取り付け空間を確保する必要がない切り起こし部５ａでのハーネス処理は容易に行うことが出来る。
【００２３】
なお、工場での組立作業性が良くなるだけでなく、サービス時のハーネス４の点検、配線替えを行う場合でも、ハーネス規制部材を断熱材１ａもしくは仕切板２から取り外す必要なく、簡単にハーネス４の取り外しが出来るので、サービス・メンテナンス作業性も良くなる。
【００２４】
また、近年断熱性能向上のために、断熱材１ａもしくは仕切板２の構成素材として従来の発泡ウレタン樹脂から真空断熱材に置き換えて使用する場合があり、真空断熱材は表面をアルミシートなどで密閉されたものが主流で、もちろん破れなどが生じると断熱機能を大きく損なうものである。現在は素材全面もしくは一部に使用して、アルミシート表面に紙などの保護面材を貼り付けて構成したり、表面に鉄板部材で覆う構成、あるいは発泡ウレタン樹脂の内部に設けたりしている。しかし、傷付きや破れを生じさせないためには、従来方式である、壁面に取付け穴等を設けて、カバー部材に取付け爪等を設けた差込固定や、ビスを突き刺すビス固定をする方法を直接とることが出来ない。そのため、真空断熱材を避けて、支障のない部分に差し込み固定やビス固定を設けたりしてカバー形状が複雑化したり、ビス固定、差込用の補助鉄板部材などを断熱材１ａもしくは仕切板２の表面にさらに追加して設けることで、直接断熱材１ａもしくは仕切板２へ干渉なく構成したりして複雑かつ、構成が多くなっていた。
【００２５】
本実施の形態のように断熱材保護部材５に形成した切り起こし部５ａにハーネス４を通すことで、差込構成をとらずに、真空断熱材のアルミシートの上や、保護面材の上に直接に取付けることができるので、傷や破れを発生させて断熱機能を損なうことなく、簡単に構成することが出来る。
【００２６】
また、商品収納装置３から搬出される商品は庫内収納部の後方から前方に向かって搬出されるので、搬出される方向に障害物がないことが望ましい。本実施の形態は切り起こし部５ａの開口部が庫内収納部の前方に形成されているため開口部の端面に搬出される商品が当ることを防ぐことが出来る。本実施の形態では商品は切り起こし部５ａの曲げ部に当るが、商品への傷つきは端面に当った場合と比較すると、明らかに抑えることが可能となる。また、搬出経路に端面部が存在すると商品が端面部に引っかかり、搬出不良を発生させるが本実施の形態では商品は曲げ部に当るため引っかかることなく搬出されることが出来る。
【００２７】
また、断熱材保護部材５は図３のように、切り起こし部５ａのハーネス通路側に突起５ｂを形成し、ハーネス４を断熱材１ａまたは仕切板２と切り起こし部５ａおよび突起５ｂで囲まれた空間内に通すことにより、一度通したハーネス４が容易に切り起こし部５ａから外れなくすることが出来る。庫内にはヒーター装置が備えられており、ハーネス４を確実に規制、固定およびカバーすることによって、ヒーター装置への接触を防ぐことが出来、安全面における品質を確保することが出来る。
【００２８】
また、断熱材保護部材５の切り起こし部５ａは図４のように、切り起こし部５ａの曲げ部５ｄに穴５ｃを形成している。ハーネス４を切り起こし部５ａ内に通すとき曲げ部分を変形させ矢印方向に開く必要があり、穴５ｃを形成することにより曲げ部分の変形を容易に行うことが出来るため、組立においてより容易にハーネス４を通すことが出来る。
【産業上の利用可能性】
【００２９】
以上のように、本発明にかかる自動販売機は、切り起こし部を用いることで、ハーネスの規制、固定およびカバーを行っていた後工程で取り付ける部材を廃止することが可能で、ハーネスを収納する狭い空間を有効に活用することが出来るので、ハーネスを規制、固定およびカバーを必要とする断熱仕切りを備えた機器に適用できる。
【符号の説明】
【００３０】
１    本体庫内
２    仕切板
３    商品収納装置
４    ハーネス
５    断熱材保護部材
５ａ  切り起こし部
５ｂ  突起
５ｃ  穴
【図１】
2012018442.tif 000003
【図２】
2012018442.tif 000004
【図３】
2012018442.tif 000005
【図４】
2012018442.tif 000006
【図５】
2012018442.tif 000007
【図６】
2012018442.tif 000008